(57)【要約】  ワークステーション（５）は、このＤｉｃｏｍの規格に従ったＸ線画像における撮影日・時刻の情報と、被曝測定システム（７）により作成された被曝線量データにおける撮影日・時刻の情報とを利用して、Ｄｉｃｏｍの規格に従ったＸ線画像と被曝測定システム（７）により作成された被曝線量データとを連結する。これにより、ワークステーション（５）は、Ｘ線画像毎の被曝線量を算出する。また、ワークステーション（５）は、コンソール部（１）より受け取った検査の開始時間と終了時間のデータに基づいて、Ｘ線検査毎の被曝線量を算出する。各検査における検査時間や撮影術式、また、被検者の情報を含むデータと、その検査に対する被曝線量を示す情報とが、一つのデータとして構成され、ワークステーション（５）における表示部（５１）に表示される。
2019064652.tif 000002
【特許請求の範囲】
【請求項１】
被曝線量情報と被曝時間情報との関係を示す被曝線量データを記憶する被曝線量データ記憶部と、  Ｘ線検査を実行するときにＸ線撮影装置により撮影されたＸ線画像を、前記Ｘ線画像に付与された撮影時間情報とともに記憶するＸ線画像記憶部と、  前記被曝線量データ記憶部に記憶された前記被曝線量データと前記Ｘ線画像記憶部に記憶された前記Ｘ線画像とを、前記被曝時間情報と前記撮影時間情報とを利用して連結する情報連結部と、  前記情報連結部により連結された前記被曝線量データと前記Ｘ線画像とに基づいて、前記Ｘ線検査毎の被曝線量、または、前記Ｘ線検査における前記Ｘ線画像毎の被曝線量を表示する被曝線量表示部と、  を備えたことを特徴とする被曝線量表示装置。
【請求項２】
請求項１に記載の被曝線量表示装置において、  前記被曝線量情報と前記被曝時間情報との関係を示す前記被曝線量データは、個人線量計により測定した被曝線量を時間情報とともに記録する被曝測定システムにより作成される被曝線量表示装置。
【発明の詳細な説明】
【技術分野】
【０００１】  この発明は、Ｘ線検査技師や医師等の術者の被曝線量を表示するための被曝線量表示装置に関する。
【背景技術】
【０００２】  Ｘ線撮影装置を使用して検査や治療を行うときには、被検者の被曝だけではなく、その業務を日常的に実行するＸ線検査技師や医師等の術者の術者被曝を考慮する必要がある。術者被曝は、被曝しやすい利き手や、Ｘ線によるダメージを受けやすい両眼球付近、あるいは、甲状腺付近の被曝線量分布を可視化することが有効である。【０００３】  このような被曝線量を表示するシステムとして、個人線量計により測定した被曝線量を時間情報とともに記録する被曝測定システムが提案されている。東洋メディック株式会社によるリアルタイム被曝測定システムである「ＲａｙＳａｆｅ  ｉ２」は、検査室内に設置されたタッチパネル式のスクリーンを備え、通信範囲内にある個人線量計と通信して、リアルタイムの被曝線量を表示する構成を有する。「ＲａｙＳａｆｅ  ｉ２」においては、各術者が装着した個人線量計毎に、現在受けている被曝線量の程度と積算線量値がタッチパネル式のスクリーンに表示される構成となっている（非特許文献１および非特許文献２参照）。【０００４】  このような被曝測定システムにおいては、一般的に、被曝線量の情報と、その被曝を受けた被爆時間の情報は、記憶部に一旦記憶された上で、汎用のソフトウエアに対応した表形式のデータとして出力可能となっている。
【先行技術文献】
【特許文献】
【０００５】
【非特許文献１】東洋メディック株式会社：ＲａｙＳａｆｅ  ｉ２：リアルタイム被曝測定システム：［平成２９年９月１４日検索］：インターネット＜URL：http://www.toyo-medic.co.jp/seihin/catg03/raysafei2.html＞
【非特許文献２】Ｕｎｆｏｒｓ  ＲａｙＳａｆｅ社：ＲａｙＳａｆｅ  ｉ２：Ｐｒｏｄｕｃｔ  Ｌｅａｆｌｅｔ：［平成３０年３月１４日検索］：インターネット＜URL：http://www.raysafe.com/Products/Staff/RaySafe%20i2#Downloads＞
【発明の概要】
【発明が解決しようとする課題】
【０００６】  非特許文献１に記載されたように、個人線量計により測定した被曝線量の積算値等を表示することによりモニタリングする装置はいくつか提案されているが、それぞれの被曝がいずれのＸ線検査時になされたものであるのかを認識することはできなかった。いずれのＸ線検査で被曝しているのかの情報を可視化できたときには、各検査における操作等を改善することにより、被曝線量を低減することが可能となることが予想される。【０００７】  この発明は上記課題を解決するためになされたものであり、Ｘ線検査毎の被曝線量を表示することが可能な被曝線量表示装置を提供することを目的とする。
【課題を解決するための手段】
【０００８】  請求項１に記載の発明は、被曝線量情報と被曝時間情報との関係を示す被曝線量データを記憶する被曝線量データ記憶部と、Ｘ線検査を実行するときにＸ線撮影装置により撮影されたＸ線画像を、前記Ｘ線画像に付与された撮影時間情報とともに記憶するＸ線画像記憶部と、前記被曝線量データ記憶部に記憶された前記被曝線量データと前記Ｘ線画像記憶部に記憶された前記Ｘ線画像とを、前記被曝時間情報と前記撮影時間情報とを利用して連結する情報連結部と、前記情報連結部により連結された前記被曝線量データと前記Ｘ線画像とに基づいて、前記Ｘ線検査毎の被曝線量、または、前記Ｘ線検査における前記Ｘ線画像毎の被曝線量を表示する被曝線量表示部と、を備えたことを特徴とする。【０００９】  請求項２に記載の発明は、請求項１に記載の発明において、前記被曝線量情報と前記被曝時間情報との関係を示す前記被曝線量データは、個人線量計により測定した被曝線量を時間情報とともに記録する被曝測定システムにより作成される。
【発明の効果】
【００１０】  請求項１に記載の発明によれば、被曝線量データとＸ線画像とを被曝時間情報と撮影時間情報とを利用して連結することにより、Ｘ線検査毎またはＸ線画像毎の被曝線量を表示することが可能となる。これにより、いずれのＸ線検査あるいはＸ線画像の取得時に被曝しているのかという情報を可視化できることから、各検査における操作等を改善することにより被曝線量を低減することが可能となる【００１１】  請求項２に記載の発明によれば、個人線量計により測定した被曝線量を時間情報とともに記録する被曝測定システムで作成された被曝線量データをそのまま利用することにより、Ｘ線検査毎あるいはＸ線画像毎の被曝線量を容易に表示することが可能となる。
【図面の簡単な説明】
【００１２】
【図１】この発明に係る被曝線量表示装置に使用するＸ線撮影装置の概要図である。
【図２】この発明に係る被曝量表示装置の構成を示すブロック図である。
【図３】Ｘ線撮影装置におけるコンソール部１により作成されたＤｉｃｏｍの規格に従ったＸ線画像の構造と、被曝測定システム７により作成された被曝線量データの構造とを示す模式図である。
【図４】ワークステーション５により作成されたＸ線検査毎の被曝線量のデータを示す模式図である。
【発明を実施するための形態】
【００１３】  以下、この発明の実施の形態を図面に基づいて説明する。図１は、この発明に係る被曝線量表示装置に使用するＸ線撮影装置の概要図である。
【００１４】  このＸ線撮影装置は、オペレータがＸ線撮影操作を実行するための操作室１０１に設置されたコンソール部１および高電圧装置２と、被検者２０に対して撮影を行うための撮影室１００に設置された検診台３および撮影部４とを備える。撮影室１００と操作室１０１とは、隔壁１０２により遮断されている。
【００１５】  操作室１０１に設置されたコンソール部１は、液晶表示器等から構成される表示部１１と、各種の操作を実行するためのキーボードやマウス等からなる操作部１２とを備え、Ｘ線撮影を実行するための各種の操作を行うためのものである。また、操作室１０１内において隔壁１０２に配設された高電圧装置２は、タッチパネル式の液晶表示器等から構成される表示部と各種の入力ボタンとを有する操作パネルと、Ｘ線の照射を開始するための押しボタンスイッチとを備える。この高電圧装置２は、後述するＸ線管４２の管電圧や管電流、あるいは、Ｘ線照射時間等のＸ線の照射条件を設定するためのものである。
【００１６】  撮影室１００に設置された検診台３は、被検者２０を載置する天板３１と、内部にＸ線検出器としてのフラットパネルディテクタ（ＦＰＤ）を収納したＸ線検出部３３と、天板３１およびＸ線検出部３３を昇降するための昇降部３４とを備える。Ｘ線検出部３３は、図１における左右方向に水平移動可能となっている。また、Ｘ線検出部３３は、天板３１とともに、図１における上下方向に昇降可能となっている。また、撮影室１００に設置された撮影部４は、撮影室１００の天井に対して互いに直交する二方向に移動可能な基部６１と、この基部６１から下方に延びる支持部６２と、この支持部６２に対して昇降および回動する移動部６３と、この移動部６３の下端部に一体的に支持されるハンドル４１、Ｘ線管４２およびコリメータ４３とを備える。
【００１７】  Ｘ線管４２からコリメータ４３を介して被検者２０に照射されたＸ線は、Ｘ線検出部３３により検出される。Ｘ線検出部３３で検出されたＸ線画像は、コンソール部１を介して、後述するワークステーション５およびサーバ６に送信される。このときには、検査の開始時間と終了時間が、Ｘ線画像とともに送信される。
【００１８】  図２は、この発明に係る被曝量表示装置の構成を示すブロック図である。
【００１９】  図１に示すコンソール部１は、上述したように、ワークステーション５と接続されており、ワークステーション５に対してＸ線画像を送信する。このＸ線画像は、Ｄｉｃｏｍの規格に従った画像となっている。ここで、Ｄｉｃｏｍとは、Ｄｉｇｉｔａｌ  Ｉｍａｇｉｎｇ  ａｎｄ  ＣＯｍｍｕｎｉｃａｔｉｏｎｓ ｉｎ  Ｍｅｄｉｃｉｎｅの略で、米国放射線学会（ＡＣＲ）と北米電子機器工業会（ＮＥＭＡ）が開発した、ＣＴやＭＲＩ、ＣＲなどで撮影した医用画像のフォーマットと、それらの画像を扱う医用画像機器間の通信プロトコルを定義した標準規格のことである。
【００２０】  ワークステーション５は、このＸ線画像と、その他のデータとを、サーバ６に送信する。このサーバ６は、病院内に設置された複数のワークステーション５と接続されており、病院内で撮影される各種の画像を保存するために使用される。また、ワークステーション５は、術者に装着された個人線量計８により測定した被曝線量を時間情報とともに記録する被曝測定システム７と接続されている。この被曝測定システム７は、例えば、非特許文献１に示すように、撮影室１００内に設置されたタッチパネル式のスクリーン等を備え、通信範囲内にある個人線量計８と通信して、リアルタイムの被曝線量を表示するとともに、その被曝線量を記憶する構成を有する。なお、個人線量計８は、術者がその着衣等に常に装着し、日常の検査や治療時に、常時、被曝線量を測定する。
【００２１】  図３は、Ｘ線撮影装置におけるコンソール部１により作成されたＤｉｃｏｍの規格に従ったＸ線画像の構造と、被曝測定システム７により作成された被曝線量データの構造とを示す模式図である。
【００２２】  Ｄｉｃｏｍの規格に従ったＸ線画像は、撮影日や時刻、患者名、撮影条件等の各種の情報が記録された情報領域と、画像が記録された画像領域とから構成される。一方、被曝測定システム７により作成された被曝線量データは、撮影日や時刻と、そのときの被曝線量とを連結した構造を有する。図３に示すワークステーション５は、このＤｉｃｏｍの規格に従ったＸ線画像における撮影日・時刻の情報と、被曝測定システム７により作成された被曝線量データにおける撮影日・時刻の情報とを利用して、Ｄｉｃｏｍの規格に従ったＸ線画像と被曝測定システム７により作成された被曝線量データとを連結する。そして、ワークステーション５は、Ｘ線画像毎の被曝線量を算出する。また、ワークステーション５は、コンソール部１より受け取った検査の開始時間と終了時間のデータに基づいて、Ｘ線検査毎の被曝線量を算出する。このワークステーション５は、この発明に係る情報連結部として機能する。
【００２３】  図４は、ワークステーション５により作成されたＸ線検査毎の被曝線量のデータを示す模式図である。
【００２４】  この図に示すように、各検査における検査時間や撮影術式、また、被検者２０の情報を含むデータと、その検査に対する被曝線量を示す情報とが、一つのデータとして構成される。このデータは、ワークステーション５における表示部５１に表示される。なお、このデータを、コンソール部１における表示部１１や、被曝測定システム７における表示部７１にも表示するようにしてもよい。
【００２５】  また、このデータをワークステーション５における表示部５１や、コンソール部１における表示部１１、あるいは、被曝測定システム７における表示部７１に表示するかわりに、プリントアウトして表示するようにしてもよい。この明細書における表示とは、このような形態をも含む概念である。
【００２６】  これにより、術者および第三者は、各術者のＸ線検査毎の被曝線量を把握することが可能となる。このため、いずれのＸ線検査で被曝しているかの情報を可視化し、各検査における操作等を改善することにより、被曝線量を低減することが可能となる。
【００２７】  なお、図４に示すようにＸ線検査毎の被曝線量のデータを表示する代わりに、Ｘ線画像毎の被曝線量のデータを個別に表示するようにしてもよい。この場合においては、どのようなＸ線撮影で被曝しているかの情報を可視化することが可能となる。
【符号の説明】
【００２８】  １      コンソール部  ２      高電圧装置  ３      検診台  ４      撮影部  ５      ワークステーション  ６      サーバ  ７      被曝測定システム  ８      個別線量計  １１    表示部  １２    操作部  ２０    被検者  ３１    天板  ３３    Ｘ線検出部  ４２    Ｘ線管  ４３    コリメータ  ５１    表示部  ７１    表示部  １００  撮影室  １０１  操作室
【図１】
2019064652.tif 000003
【図２】
2019064652.tif 000004
【図３】
2019064652.tif 000005
【図４】
2019064652.tif 000006
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
術者に対する被曝線量情報と被曝時間情報との関係を示す被曝線量データを記憶する被曝線量データ記憶部と、
Ｘ線検査を実行するときにＸ線撮影装置により撮影されたＸ線画像を、前記Ｘ線画像に付与された撮影時間情報とともに記憶するＸ線画像記憶部と、
前記被曝線量データ記憶部に記憶された前記被曝線量データと前記Ｘ線画像記憶部に記憶された前記Ｘ線画像とを、前記被曝時間情報と前記撮影時間情報とを利用して連結する情報連結部と、
前記情報連結部により連結された前記被曝線量データと前記Ｘ線画像とに基づいて、前記Ｘ線検査毎の被曝線量、または、前記Ｘ線検査における前記Ｘ線画像毎の被曝線量を表示する被曝線量表示部と、
を備えたことを特徴とする被曝線量表示装置。
【請求項２】
請求項１に記載の被曝線量表示装置において、
前記被曝線量情報と前記被曝時間情報との関係を示す前記被曝線量データは、個人線量計により測定した被曝線量を時間情報とともに記録する被曝測定システムにより作成される被曝線量表示装置。
【手続補正２】
【補正対象書類名】明細書
【補正対象項目名】０００８
【補正方法】変更
【補正の内容】
【０００８】
請求項１に記載の発明は、術者に対する被曝線量情報と被曝時間情報との関係を示す被曝線量データを記憶する被曝線量データ記憶部と、Ｘ線検査を実行するときにＸ線撮影装置により撮影されたＸ線画像を、前記Ｘ線画像に付与された撮影時間情報とともに記憶するＸ線画像記憶部と、前記被曝線量データ記憶部に記憶された前記被曝線量データと前記Ｘ線画像記憶部に記憶された前記Ｘ線画像とを、前記被曝時間情報と前記撮影時間情報とを利用して連結する情報連結部と、前記情報連結部により連結された前記被曝線量データと前記Ｘ線画像とに基づいて、前記Ｘ線検査毎の被曝線量、または、前記Ｘ線検査における前記Ｘ線画像毎の被曝線量を表示する被曝線量表示部と、を備えたことを特徴とする。
【国際調査報告】
2019064652.tif 000007
2019064652.tif 000008